(57)【要約】  【課題】  新造あるいは既存の墓石に拘わらず、遺骨を永く安置する空間として地下に設けられ、普段では目に触れることのない納骨室内を、永眠に相応しい空間に変えると共に、石蓋解放時に簡便に交換、設置し得る新規な装飾技術を提供する。  【解決手段】  墓石５納骨用石室６内適所に自立可能な２本の鉛直状脚部２１，２１を有すると共に、所定高さ位置に形成した水平梁部２３の前側面に鉤部２４，２４を突設した耐蝕性の門型フレーム２を設け、鉤部２４，２４に対し、耐蝕性であって表面適所に適宜表面処理手段による描画３１や刻字３２等の装飾を施すと共に、上端側適所に鉤部２４，２４掛止用の吊下げ孔３３，３３を板厚方向に貫通した装飾プレート３の吊下げ孔３３，３３を着脱自在に組み合わせてなる墓石用石室内装飾具１である。【選択図】    図１
2007120264.tif 000002
【特許請求の範囲】
【請求項１】
墓石の納骨用石室内適所に自立可能とするようにした少なくとも２本の鉛直状脚部を有すると共に、所定高さ位置に形成した水平梁部の少なくとも石室内側向きとなる前側面に吊下げ用の鉤部を突設してなる耐蝕性素材製の門型フレームを設け、該門型フレームの鉤部に対し、耐蝕性素材製であって立て掛け姿勢表面適所に、印刷、彫刻、エッチング等適宜表面処理手段による描画や刻字等からなる装飾を施すと共に、上端側適所に鉤部掛止用の吊下げ孔を板厚方向に貫通、形成した装飾プレートの当該吊下げ孔を装着、掛止して着脱自在に組み合わせてなるものとしたことを特徴とする墓石用石室内装飾具。
【請求項２】
墓石の納骨用石室内適所に自立可能とするようにした少なくとも２本の鉛直状脚部を有すると共に、所定高さ位置に形成した水平梁部の少なくとも石室内側向きとなる前側面に吊下げ用の鉤部を突設してなる耐蝕性素材製の門型フレームを設け、該門型フレームの鉤部に対し、耐蝕性素材製であって立て掛け姿勢表面適所に、印刷、彫刻、エッチング等適宜表面処理手段による描画や刻字等からなる装飾を施すと共に、上端側適所に鉤部掛止用の吊下げ孔を板厚方向に貫通、形成した装飾プレートの当該吊下げ孔を装着、掛止して着脱自在に組み合わせてなるものとし、墓石納骨用石室内の内側壁に沿う適所か、納骨用石室内適所を仕切る位置適所かに自立させ、当該装飾プレートによって交換自在な装飾を可能とするものとしたことを特徴とする墓石用石室内装飾具。
【請求項３】
墓石の納骨用石室内適所に自立可能とするようにした少なくとも２本の鉛直状脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせてなるものとしたことを特徴とする墓石用石室内装飾具。
【請求項４】
墓石の納骨用石室内適所に自立可能とするようにした少なくとも２本の鉛直棒状であって下向き先鋭型脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせてなるものとしたことを特徴とする墓石用石室内装飾具。
【請求項５】
墓石の納骨用石室内適所に自立可能とするようにした少なくとも２本の鉛直棒状であって下向き先鋭型脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせた上、十分な接地面積を確保した底面を有し、上面適所に門型フレームの各脚部下端を鉛直上方から挿し込み可能とする筒状支持部を立設したベースプレートを、必要に応じて組み込み可能なものとしたことを特徴とする墓石用石室内装飾具。
【請求項６】
装飾プレートが、タイル製であってその立て掛け姿勢表面の少なくとも中央付近の適所に、耐蝕性のカラー印刷による装飾を施したものからなり、裏面の略全面に渡り耐蝕性軟質素材製の緩衝シート層による被覆を施してなるものとした、前記請求項１ないし５何れか一項記載の墓石用石室内装飾具。
【請求項７】
門型フレームが、水平梁部の上側に横転「コ」字型か、反転「Ｕ」字型状のハンドル部を一体形成してなるものとした、前記請求項１ないし６何れか一項記載の墓石用石室内装飾具。
【請求項８】
門型フレームが、各脚部下端に、十分な接地面積を確保した底面を有するベースプレートを一体形成してなるものとした、前記請求項１ないし３何れか一項記載の墓石用石室内装飾具。                                                                                
【発明の詳細な説明】
【技術分野】
【０００１】
この発明は、墓石に関連するあらゆる分野をその技術分野とするものであり、墓石用の装飾具を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                              
【背景技術】
【０００２】
（着目点）
我が国の墓の多くは、伝統的な仏教的スタイルを重視するものであり、その墓用石碑から下の構造は、地中に形成した筐体状納骨室後側の地上部を、竿状の墓用石碑を載置するための基台石で隠蔽し、その基台石の前方に開口する納骨室上方が納骨口となるようにしておき、通常はその納骨口を拝石板で封止し、場合によってはその上に飾り台や蝋燭立て等といった墓付属品が設置されていて、遺骨を埋葬するときだけ該拝石板を外して（墓付属品が置かれているときは、勿論それらを避けてから）納骨口を開き、骨壺や遺骨を収めるように構成されている。
【０００３】
（従来の技術）
一般に、図４の従来型の墓石の断面図に示すように納骨室６は、重い基台石および墓用石碑を載置するための基礎部分を兼ねるように構成されており、地盤の緩み等によって墓用石碑が傾けられてしまうことのないよう、コンクリートを打設する等して充分な強度を確保できるよう施工され、地中にあって地上の墓用石碑５等を支えるという強度面を重視したものに形成される上、納骨された遺骨および骨壺が、墓用石碑５等の下の地中に形成してある納骨室６で長期間に渡って大切に安置、保管できるように形成されているのが一般的な構造となっている。
【０００４】
ところが、この納骨室６は、遺骨や骨壺を納めてしまえば全く表からは見えなくなってしまうため、殆どのものが造築したときの石材かもしくはコンクリートのままの面で囲まれたままとなっており、勿論照明されることもないことから、生前にその状態を見て自分がそのような場所に納められるとしたらと考えると極めて侘びしくなってしまうため、葬られた後にそのような惨めな状況に置かれないようにしたいとの考えと、死後の安泰を願う気持ちとから、古くは高松塚古墳の壁画にもあり、また、例えば登録実用新案第３０２８８４３号公報や、特開平８−４３５３号公報、特開平１０−３１７７３０号公報などにも散見されるような納骨室６内周壁面に装飾を施すようにした提案もあるにはある。
【０００５】
しかしながら、それらは、何れも造築の際に納骨室６内周壁面に装飾を施すようしたものであって、あくまで墓石と一体化されたものとしての実現を狙っており、故人に因んだ思いで深い写真その他の装飾などを、法事その他の折々に触れて故人が寂しくないように交換できるようにしたものは見当たらない。                                                                  
【特許文献１】（1）登録実用新案第３０２８８４３号公報  （2）特開平８−４３５３号公報  （3）特開平１０−３１７７３０号公報
【発明の開示】
【発明が解決しようとする課題】
【０００６】
（問題意識）
こうした伝統的な構造を基本としてきた墓も、国民全体に経済的なゆとりを生じ、先祖供養や自らの来世等についても十分な余裕を持って考えられるような時代となってきたことや、貿易事情や労働事情等が変化して生産、流通体制が国際的になり、貴重な石材を現地加工による完成品として輸入され始め、高い品質の石碑が、大量且つ安価に提供できるようになってきたこと等、幾つかの理由が重なり、最近では、墓石に関するデザイン競争に拍車が掛かり、専ら外観上の豪華さだけを競い合い、顧客吸引のための動きだけが強まっていて、御霊を永遠に奉るために必要とされる墓石の構造、機能部分についての探求が等閑となっているようにも見受けられる。
【０００７】
（発明の目的）
本願発明者は、このような墓の現状に鑑み、石材業に従事する者の一人として、墓本来の姿を基本から見詰め直し、繁栄を続けるこの時代に必要な墓、即ち故人の供養としてより充実した墓の姿を見極める必要性を痛感し、多方面からの研究を続け、長期に渡る試行錯誤と幾多の試作実験とを繰り返してきた結果、墓が家々の記念碑的な使命を帯びて建立されることから、その外観的な要素を抜きにしては成り立ち得ないものであるものの、しかし、単にそれが見栄えだけに捕らわれたものであって、普段では目に触れることのない部分、即ち遺骨を永く安置する空間として地下に設けられる納骨室部分や、地震時の耐久強度に関連した各部の形状あるいは接続構造等といった部分が軽んじられてしまっていたのでは、墓本来の慰霊という目的が十分に全うされるものとはなり得ないとの結論に達し、それらの中、特に、納骨用石室の現状に注目し、永眠に相応しい空間造りに取り組み、遂にここにきて新規な構造からなる墓石用石室内装飾具を完成し、その実用化に成功したものであり、以下では、図面に示すこの発明を代表する実施例と共に、その構成を詳述していくこととする。                                                                                    
【課題を解決するための手段】
【０００８】
（発明の構成）
図面に示すこの発明を代表する実施例からも明確に理解されるように、この発明の墓石用石室内装飾具は、基本的に次のような構成から成り立っている。
即ち、墓石の納骨用石室内適所に自立可能とするようにした少なくとも２本の鉛直状脚部を有すると共に、所定高さ位置に形成した水平梁部の少なくとも石室内側向きとなる前側面に吊下げ用の鉤部を突設してなる耐蝕性素材製の門型フレームを設け、該門型フレームの鉤部に対し、耐蝕性素材製であって立て掛け姿勢表面適所に、印刷、彫刻、エッチング等適宜表面処理手段による描画や刻字等からなる装飾を施すと共に、上端側適所に鉤部掛止用の吊下げ孔を板厚方向に貫通、形成した装飾プレートの当該吊下げ孔を装着、掛止して着脱自在に組み合わせてなるものとした構成を要旨とする墓石用石室内装飾具である。
【０００９】
これを表現を変えて示すと、墓石の納骨用石室内適所に自立可能とするようにした少なくとも２本の鉛直状脚部を有すると共に、所定高さ位置に形成した水平梁部の少なくとも石室内側向きとなる前側面に吊下げ用の鉤部を突設してなる耐蝕性素材製の門型フレームを設け、該門型フレームの鉤部に対し、耐蝕性素材製であって立て掛け姿勢表面適所に、印刷、彫刻、エッチング等適宜表面処理手段による描画や刻字等からなる装飾を施すと共に、上端側適所に鉤部掛止用の吊下げ孔を板厚方向に貫通、形成した装飾プレートの当該吊下げ孔を装着、掛止して着脱自在に組み合わせてなるものとし、墓石納骨用石室内の内側壁に沿う適所か、納骨用石室内適所を仕切る位置適所かに自立させ、当該装飾プレートによって交換自在な装飾を可能とするものとした構成からなる墓石用石室内装飾具となる。
【００１０】
上記の基本的な構成によるこの発明の墓石用石室内装飾具を、より具体的なものとして示せば、墓石の納骨用石室内適所に自立可能とするようにした少なくとも２本の鉛直状脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせてなるものとした墓石用石室内装飾具といえる。
【００１１】
同様に、墓石の納骨用石室内適所に自立可能とするようにした少なくとも２本の鉛直棒状であって下向き先鋭型脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせてなるものとした構成の墓石用石室内装飾具であるということができる。
【００１２】
更にまた、墓石の納骨用石室内適所に自立可能とするようにした少なくとも２本の鉛直棒状であって下向き先鋭型脚部を有すると共に、所定高さ位置に形成した水平梁部の少なくとも石室内側向きとなる前側面の左右中途の所定間隔を隔てた２箇所の夫々に吊下げ用の鉤部を突設してなる耐蝕性素材製の門型フレームを設け、該門型フレームの左右鉤部に対し、耐蝕性素材製であって立て掛け姿勢表面適所に、印刷、彫刻、エッチング等適宜表面処理手段による描画や刻字等からなる装飾を施すと共に、上端側の左右端間中途の均衡する配置であって所定間隔を隔てた２箇所の夫々に、鉤部掛止用の吊下げ孔を板厚方向に貫通、形成した装飾プレートの当該左右吊下げ孔を装着、掛止して着脱自在に組み合わせた上、十分な接地面積を確保した底面を有し、上面適所に門型フレームの各脚部下端を鉛直上方から挿し込み可能とする筒状支持部を立設したベースプレートを、必要に応じて組み込み可能なものとしてなる墓石用石室内装飾具ということが可能である。                                  
【発明の効果】
【００１３】
以上のとおり、この発明の墓石用石室内装飾具によれば、墓石用石室内に自立可能とした門型フレームに対して立て掛け姿勢表面適所に、印刷、彫刻、エッチング等適宜表面処理手段による描画や刻字等からなる装飾を施した装飾プレートを吊り下げ状に組み合わせたものとすることにより、墓石納骨用石室内の内側壁に沿う適所か、納骨用石室内適所を仕切る位置適所かに自立させ、当該装飾プレートによって交換自在な装飾が可能となり、従前までであれば、墓石の新造や建替えのときにのみ内側壁面に装飾を施すことができるものであったが、既存の墓石石室内にも簡便に設置することが可能となり、しかも門型フレーム水平梁部の鉤部に対して装飾プレートの下げ孔を掛け止めるものとしたことにより、狭く暗い石室内であっても煩わしい作業を必要とせずに簡便に吊り下げることができ、納骨式や法事等の節目毎に故人に因む他の装飾プレートと労せずして交換できるものとなって供養する人々の心を癒すことができるという秀れた特徴が得られるものである。
【００１４】
加えて、門型フレームの鉛直棒状とした各脚部を下向き先鋭型に形成したものとすることにより、底部に地面が露出している石室内にも容易に突き刺して、当該装飾具の全体を確実に自立させることができものとなり、さらに、門型フレームの各脚部に対応する位置に夫々筒状支持部を立設させたベースプレートを組み込んだものとすることによって底面が、コンクリートや石材等に覆われている石室内であっても安定的に自立させることができるものとなり、様々な形式の墓石に対応させることができる。
【００１５】
また、装飾プレートをタイル製のものとし、立て掛け姿勢表面の中央付近適所に、耐蝕性のカラー印刷による装飾を施したものとすることにより、湿気の多い地中に収容された場合であっても高い耐蝕性を発揮できると共にカラー写真や絵画、イラスト、模様、文章、文字、記号の表示等、故人や遺族の意向に添った装飾を容易且つ自在に実現することができるという優れた特徴が得られ、さらに、裏面の略全面に耐蝕性軟質素材製の緩衝シート層を形成したことにより、門型フレームとの接触や外部振動等を緩衝して装飾プレートの耐久強度を向上させ、不吉な破損や割れ等の発生を防止して充実した供養を実現可能とすることができる。
【００１６】
さらに、門型フレーム水平梁部の上側に横転「コ」字型か、反転「Ｕ」字型状のハンドル部を一体形成したものとすることにより、地中に形成された石室内にも、該ハンドル部を把持して吊り下げ状に操作しながら容易に設置することができるものとなり、しかも礼服等の正装で石室内からの撤去や交換作業を行う際にも、不用意に落下させたりする失敗を無くして安全、確実に取り扱うことができるようになり、仏事の厳かな雰囲気を大切にすることができるものとなる。
【００１７】
そして、門型フレームの各脚部下端に、十分な接地面積を確保した底面を有するベースプレートを一体に形成したものとすることにより、石室内底面がコンクリートや石材製のものとなって地面への突き刺しによる自立が不可能な場合に適した、専用の装飾具として用いることを可能とし、別体型のベースプレートを組み込むものに比較して部品点数を大幅に削減し、スッキリとした外観を得て比較的廉価に製造することができるという特徴を得ることができる。                                                                              
【発明を実施するための最良の形態】
【００１８】
上記したとおりの構成からなるこの発明の実施に際し、その最良もしくは望ましい形態について説明を加えることにする。
門型フレームは、墓石納骨用石室内の内側壁に沿う適所か、納骨用石室内適所を仕切る位置の適所かに自立させ、装飾プレートを掛止、装着して着脱自在に組み合わせることを可能とする機能を果たすものであり、耐蝕性に優れた素材製であって装飾プレートを十分な強度をもって所定の高さ位置、姿勢に支持可能なものとしなければならず、石室内底部に自立可能な２本以上の脚部を有し、装飾プレートを装着する高さ位置には、吊着用の鉤部を設けたものとすべきであって、後述する実施例にも示すように、耐蝕性金属製の棒材からなる２本の鉛直状脚部間に、同一素材製板状の水平梁部を掛け渡し状に組み合わせて一体化し、該水平梁部の中途適所に吊着用の鉤部を突設したものとすることが可能であり、必要に応じて脚部下端側に装着可能なベースプレートを一体化、あるいは脱着可能に組み合わせたものとすることができ、その素材には強度と耐蝕性とに優れたステンレス鋼、チタン合金、アルミニウム合金等を選択するのが望ましが、ポリカーボネートやＦＲＰ等の比較的耐蝕性の高い合成樹脂製もしくはセラミックス製のものとすることも可能である。
また、この門型フレームは、水平梁部よりも上側となる適所に、後述する実施例に示すような、横転「コ」字型か反転「Ｕ」字型状のハンドル部を一体形成したものとすることが可能であり、さらに該ハンドル部の外周表面に緩衝用や滑り止め用となる発泡樹脂製のグリップを外装したものとすることができる。
【００１９】
脚部は、装飾プレートを装着した門型フレームを、墓石納骨用石室内の底面に自立可能とする機能を果たすものであり、２本以上の略鉛直状に延伸、形成したものとしなければならず、門型フレームの下部に一体形成されたものや、あるいは別体の部品を脱着可能に組み合わせるもの等とすることが可能であって、より具体的には、後述する実施例に示すように、下向き先鋭状に形成し、地中に突き刺して自立、可能なものとすることができる外、下端に十分な接地面積を形成するベースプレートが一体化され、コンクリート製や石材製等の硬質な底面上にも安定的に自立させることができるようにしたもの、あるいは、十分な接地面積を確保し、上面適所に下向き先鋭状の下端側を夫々挿し込み可能とする筒状支持部を立設した別体型のベースプレートを、脱着自在に組み合わせ可能としたもの等とすることができる。
【００２０】
水平梁部は、門型フレームの少なくとも表側となる適所に、装飾プレート吊着用の鉤部を形成可能とする機能を果たすものであり、２本以上の鉛直状脚部の所定高さ位置間に梁状に掛け渡され、門型に一体化させたものとしなければならず、後述する実施例に示すように、各脚部と同一の素材からなるものとし、少なくとも自立の際に表側配置となる左右間の適宜間隔を隔てた望ましくは２箇所、夫々に上向き係合可能な形状とした鉤部を突設したものとすべきであり、必要に応じて各鉤部間の間隔を変更、調節可能とする調節機構を設けたものとすることが可能である。
【００２１】
鉤部は、門型フレームの水平梁部適所に、装飾プレートの吊下げ孔を着脱自在に掛着可能として、異なる装飾が施された複数枚の装飾プレートを交換自在に装飾、可能とする機能を果たすものであり、装飾プレートを安定して吊着出来る程度に十分な強度を有し、水平梁部の石室内側向きとなる前側面か、前後側面両方かの何れかに固着されたものとし、且つ暗くて狭い納骨室内にあっても装飾プレートの付け替え作業を簡便、確実に行える程度に十分な大きさの係合形状に形成されたものとしなければならず、水平梁部に熔接や圧入、接着等により一体化されたものや、あるいは後述の実施例には示していないが、ボルト結合による取付け構造を有して破損の際や、交換装飾プレートの吊下げ孔形状、寸法等に応じて着脱、交換可能としたものかの何れかとすることが可能であり、さらに上下左右の位置調節や、突出量の調節等を可能とした調節機構を有するものとすることができる。
【００２２】
装飾プレートは、墓石納骨用石室内に自立させた門型フレームの表側となる適所に装着され、該納骨用石室内を故人や遺族の意志、あるいは宗教等に基づいた描画や刻字等によって装飾し、暗く陰気なイメージのある石室内を、供養に適した明るく前向きなイメージに変えるという機能を果たすものであり、耐蝕性に優れた素材製であって、立て掛け姿勢表面適所に、適宜表面処理手段による描画や刻字、印字等からなる装飾を施すと共に、上端側適所に鉤部掛止用の吊下げ孔を板厚方向に貫通、形成したものとしなければならず、その素材をより具体的に示すと例えばタイル、石材、コンクリート、セラミックス、七宝焼き、ステンドグラス、クリスタルガラス、ステンレス合金、チタン合金、アルミニウム合金、ジュラルミン、マグネシウム合金、アクリル、ポリカーボネート、ＦＲＰ等から選択することができ、必要に応じて保護皮膜によるコーティングや、後述する実施例に示すような耐蝕性緩衝シート層の形成等が可能である。
【００２３】
表面処理手段は、耐蝕性に秀れた装飾プレートの立て掛け姿勢とした際に表面側となる適所に、耐久性に優れた描画や刻字、印字等を施すものであり、写真、絵画、イラスト、模様、三次元（立体的）画像、手書きによる毛筆、ペン等による文字、活字、記号その他の素材を用いたものとすることが可能であって、装飾プレートの素材や装飾の形態等に応じて適宜選択すべきであり、より具体的には、インクジェットプリント、シルク印刷、エッチング、ウォータジェット加工、放電加工、レーザー加工等の彫刻、樹脂コーティング、鍍金、その他各種手段を単独でか適宜組み合わせるかしたものとすることができる。
【００２４】
吊下げ孔は、門型フレーム水平梁部に突設された各鉤部に着脱自在に係合可能であり、装飾プレートを門型フレームの適宜高さ位置に交換、可能に装着できるものとする機能を果たすものであり、装飾プレート上端側の鉤部に対応する各所に、板厚方向に貫通したものとして形成されたものとすべきであるが、装飾プレート裏面側にのみ開口し、奥の孔径が拡大されて鉤部先端に係合可能としたものとすることも可能であり、何れの構造とした場合にも狭く暗い石室内にあっても簡便に装着および分離操作可能な形状、寸法に設定したものとするのが望ましい。
【００２５】
ベースプレートは、十分な面積を納骨用石室内の底面に接合可能とし、適所に装飾プレートを装着した門型フレームの各脚部下端を安定的に支持可能とする機能を果たすものであり、各脚部に個別に設けられたものとすることが出来る外、複数本の脚部に対して１個のプレートを設けたものとすることが可能であり、下向き先鋭状に形成された各脚部下端に着脱自在に装着し、設置対象となる石室底面が地面の場合には、先鋭状の脚部を地面に突き刺し立設可能とするか、あるいは当該ベースプレートを装着して地面に置くようにすることができるものかの何れかを選択可能とし、もしくは各脚部下端に一体に固着し、底面がコンクリート製や石材製の石室の場合に専用のものとして用いるようにしたものとすることができる。
【００２６】
ベースプレートを、門型フレームの脚部下端に装着可能とする場合には、後述する実施例に示すように、該ベースプレート上面の適所に門型フレームの各脚部を、上方から下向きに挿し込み可能とした筒状支持部を立設したものとするのが望ましく、各筒状支持部の内周面に弾性樹脂製の筒型スペーサー等を装着しておき、門型フレーム脚部を圧入、装着して一体化できるものとすることが可能であり、また、各筒状支持部の外側、径方向から留めネジを螺着し、筒状支持部に装着した脚部を締め付け、仮留め可能なものとすることができる。
【００２７】
墓石は、地中もしくは地上の適所に石室を有して納骨可能とする機能を果たすものであり、和型、洋型、および故人や遺族の要望に応じてデザインされたオリジナル墓石等様々なものとすることが可能であって、新設もしくは既存に関わらず、何れの納骨用石室にも当該石室内装飾具を設置することが可能である。
【００２８】
納骨用石室は、地中または地上の適所に遺骨や遺品類等を納めることができる閉鎖的空間を形成するという機能を果たすものであり、遺骨等を適正に安置できる空間を確保するよう周囲を確りとした壁面で囲み、適所に開閉可能な石蓋または扉、引き戸等を有するものとすべきであり、底面に地面が露出したものとするか、あるいはコンクリート製や石材製の硬質なものとするかの何れのものとすることも可能である。
以下では、図面に示すこの発明を代表する実施例と共に、その構造について詳述することとする。                                                                                                      
【実施例】
【００２９】
図１の分解状態にある墓石用石室内装飾具の斜視図、図２の石室内の地面に設置された墓石用石室内装飾具の斜視図、および図３の石室内の硬質底面上に設置された墓石用石室内装飾具の斜視図に図示される事例は、墓石５の納骨用石室６内適所に自立可能とするようにした２本の鉛直状脚部２１，２１を有すると共に、所定高さ位置に形成した水平梁部２３の石室６内側向きとなる前側面に吊下げ用の鉤部２４，２４を突設してなる耐蝕性素材製の門型フレーム２を設け、該門型フレーム２の鉤部２４，２４に対し、耐蝕性素材製であって立て掛け姿勢表面適所に、印刷、彫刻、エッチング等適宜表面処理手段による描画３１や印字３２等からなる装飾を施すと共に、上端側適所に鉤部２４，２４掛止用の吊下げ孔３３，３３を板厚方向に貫通、形成した装飾プレート３の当該吊下げ孔３３，３３を装着、掛止して着脱自在に組み合わせてなる、この発明の墓石用石室内装飾具における代表的な一実施例を示すものである。
【００３０】
当該墓石用石室内装飾具１は、ステンレス鋼製の概略横転「コ」字状をなした門型フレーム２と、それに吊り下げ状に装着される装飾プレート３とからなり、該門型フレーム２は、直径約６・のステンレス鋼棒を大凡反転「Ｕ」字型の輪郭に折曲し、左右の上下長約６００・の鉛直棒状の脚部２１，２１と、それら左右脚部２１，２１上端間に横架状に連続し、左右長約２００・の水平棒状としたハンドル部２２とを形成し、該ハンドル部２１から約１２０・ならびに約３７０・下方となる左右脚部２１，２１中途部間には、夫々上下幅約１５・、厚み約３・の板状水平梁部２３，２３が略水平状に掛け渡され、熔接によって一体化されたものとし、上側に配された水平梁部２３の設置利用の際に石室内側向きとなる前側面の上下中央であって左右中央から左右外側に約７５・（左右間隔約１５０・）の位置に、長さ約１５・、直径約６・、先端に約３・上向きに突出した係合瘤２５を形成した鉤部２４，２４の基部を、板厚方向に貫通させて熔接し、一体化したものとなっている。
【００３１】
門型フレーム２の左右脚部２１，２１の下端は、夫々下向き円錐型もしくは角錐型とした先鋭状に形成したものとなっている上、左右幅約３００・、奥行き約２２０・、厚さ約３・のステンレス製矩形平板からなり、設置利用の際に石室内側向きとなる前方縁から後方に約１５０・であって、左右中央から左右外側に約１００・（左右間隔約２００・）の左右２箇所に、内径約６．５・、肉厚約２・、高さ約２００・の鉛直円筒状の筒状支持部４１，４１を立設し、熔接によって一体化したベースプレート４を組み合わせ可能なものとしており、該ベースプレート４各筒状支持部４１，４１の設置利用の際に石室壁面側（筒状支持部４１の周壁面後側）となる上端寄りの箇所には、肉厚を貫通させたナット部４２，４２を熔接、一体化して各ナット部４２，４２に、各筒状支持部４１，４１に挿着した門型フレーム２脚部２１，２１を、手作業による回転操作によって締め付け、仮固定可能とする留めネジ４３，４３を螺着したものとしている。
【００３２】
装飾プレート３は、縦横約３００・、厚み約１０・の矩形板状のタイル製であって、上端縁から下方に約２５・、左右中央から約１００・（左右間隔約２００・）の左右２箇所に、内径約９・の吊下げ孔３３，３３が板厚方向に貫通され、設置利用の際に石室内側向きとするよう光沢平滑面に仕上げた表面の左右吊下げ孔３３，３３より下側となる中央付近であって左右幅約２７０・、上下約２００・の範囲には、故人に因む写真や絵画、イラスト、模様等を表示する画像表示範囲３１を、また、その下端側の左右幅約２００・、上下約３０・の範囲には、上側に表示した画像や模様等の題名や故人が生前好んだ信条や格言等を表示する文字表示範囲３２を設定し、夫々を表面処理手段であるＵＶ硬化インクジェットプリントによってカラー印刷したものとなっている。
【００３３】
該装飾プレート３は、吊下げ孔３３，３３を除く裏側全面に渡り、厚み約２・のウレタン発泡樹脂製の緩衝シート層３４を貼着したものとし、さらに、画像表示範囲３１や文字表示範囲３２の配置や形状等を変更したものや、装飾プレート３自体の外郭形状を円形や楕円型、菱形あるいはその他の形状に変更したもの等を準備して置き、石室を開放する際に装飾プレート３を別の表示、形状のものに変更可能なものとすることができる。
【００３４】
（実施例の作用）
以上のとおりの構成からなる実施例の墓石用石室内装飾具１は、図２中に示すように墓石５納骨用石室６内の底面が、地面を露出させたものの場合には、門型フレーム２ハンドル部２２を把持して鉤部２４，２４が突出する表面側を、石室６内中央側に向ける姿勢として同石室６内の適切な配置となる壁面に添って降ろし、門型フレーム２左右脚部２１，２１の各下向き先鋭状の下端を地中に挿し込み、確りと自立させるよう立設した後、装飾プレート３を石室内中央に表面を向けて各吊下げ孔３３，３３が、水平梁部２３の鉤部２４，２４に係合するよう装着し、石室６内を装飾することが可能である。
【００３５】
また、墓石５納骨用石室６内の底面が、コンクリート製あるいは石材製であって門型フレーム２脚部２１，２１の下向き先鋭状下端を利用して立設できない場合には、図１および図３中に示すように、各脚部２１，２１の下端をベースプレート４の筒状支持部４１，４１上端から挿し込み、留めネジ４３，４３を締め付けて仮固定し、該ベースプレート４下面を硬質な底面上に接地させて自立状に立設させることが可能であり、装飾プレート３を鉤部２４，２４に安定に吊り下げ装着することができものとなる。
【００３６】
（実施例の効果）
以上のような構成からなる実施例の墓石用石室内装飾具１は、前記この発明の効果の項で記載の特徴に加え、図１中に示したように、門型フレーム２の上側に配置された水平梁部２３に突設された鉤部２４，２４の各先端に上向きに突出するよう形成した係合瘤２５，２５によれば、各係合瘤２５，２５を熔接によって肉盛りする等して簡単に製造することが可能となり、門型フレーム２の低廉化を図ることができる。
【００３７】
該門型フレーム２に組み合わせたベースプレート４は、留めネジ４３，４３を弛めて、門型フレーム３を取り外し、下向き先鋭状の脚部２１，２１下端を露出させ、図２中に示したように、石室６内に露出する地面に突き刺し、立設させることができる外、コンクリート製や石材製等の硬質な石室６床面上に設置する際には、図３中に示したように、各脚部２１，２１の下端を、ベースプレート４の各筒状支持部４１，４１に挿着し、留めネジ４３，４３を締め付けて仮留めし、該ベースプレート４下面を接地させて安定に据え置き、自立させることが可能となり、新設あるいは既存の別に拘わらず様々な形態の墓石納骨用石室６に設置できるものとなる。
【００３８】
また、図１中に示したように、タイル製装飾プレート３裏面の略全体に、発泡ウレタン製の緩衝シート層３４を貼着したものでは、門型フレーム２との接触を緩衝して摩耗や破損を防止することができる外、不快な接触音の発生を防止できる上、万が一落下させてしまった場合に破片の飛散を防止できるという利点が得られる。
【００３９】
（結  び）
叙述の如く、この発明の墓石用石室内装飾具は、その新規な構成によって所期の目的を遍く達成可能とするものであり、しかも製造も容易で簡素な構造の上、比較的軽量で礼服等正装の作業者が一人でも簡便に取り扱い設置が可能であり、新設、既存を問わず様々な墓石納骨用石室内を安置に相応しく装飾でき、生前の故人に因んだ装飾によって前向きなイメージに変えわるよう、節目節目に際してデザインの異なる装飾プレートと平易に交換し、新たな心で故人の冥福を祈ることができるようになるという秀れた効果が得られ、従来までの石室内壁面に直接描画あるいは彫刻を施す壁面装飾に比較して経済性にも秀れていることから、墓石の購入に多大な経費を要することとなる遺族に大いに歓迎されるのは勿論、その意図するところが墓石販売業は固よりのこと各方面からも高く評価され、広範に利用、普及していくものになると予想される。                                            
【図面の簡単な説明】
【００４０】
図面は、この発明の墓石用石室内装飾具の技術的思想を具現化した代表的な幾つかの実施例を示すものである。
【図１】分解状態にある墓石用石室内装飾具を示す斜視図である。
【図２】石室内の地面に突き刺して自立させた墓石用石室内装飾具を示す斜視図である。
【図３】ベースプレートを利用して立設した墓石用石室内装飾具を示す斜視図である。
【図４】従来型の和型墓石を断面化して示す斜視図である。
【符号の説明】
【００４１】
１      墓石用石室内装飾具
２      門型フレーム
２１    同  脚部
２２    同  ハンドル部
２３    同  水平梁部
２４    同  鉤部
２５    同  係合瘤
３      装飾プレート
３１    同  画像表示範囲
３２    同  文字表示範囲
３３    同  吊下げ孔
３４    同  緩衝シート層
４      ベースプレート
４１    同  筒状支持部
４２    同  ナット部
４３    同  留めネジ
５      墓石
６      納骨用石室                                                                                
【図１】
2007120264.tif 000003
【図２】
2007120264.tif 000004
【図３】
2007120264.tif 000005
【図４】
2007120264.tif 000006